(57)【要約】
【課題】　自動車の整備点検などの作業に使用する工具類を必要な作業場所に移動できると共に昇降して点検車両の移動や他の作業の妨げとならない工具類の支持板装置を提供する。
【解決手段】　作業場内の上方部に架設したレール４に支持枠部２を走行可能に吊下げ、該支持枠部２に工具類の支持板部３を昇降可能に係合支持し、前記支持枠部２は梁部２ａと左右の支柱部２ｂとからなり、該支柱部２ｂの上端に前記レール４に係合するローラ２ｄを軸支し、前記支持板部３の支持板３ａの両側部に側柱部３ｂを固定し、各側柱部３ｂを前記各支柱部２ｂにそれぞれ摺動係合し所定の上下位置で係止した。
【選択図】　　　　図１
0003100012.tif 000002
【実用新案登録請求の範囲】
【請求項１】
　作業場内の上方部に架設したレールに支持枠を走行可能に吊下げ、該支持枠に工具類の支持板を昇降可能に係合支持した工具類の支持板装置。
【請求項２】
　前記支持枠は梁部とその両側端部に上端部で固定した左右の支柱部とからなり、前記支柱部の上端或いは梁部に複数の支持片を突設してこれら支持片に前記レールに係合するローラを軸支すると共に、前記支持板の両側部に側柱部を固定して各側柱部を前記各支柱部にそれぞれ摺動係合し所定の上下位置で係止する請求項１に記載の工具類の支持板装置。
【請求項３】
　前記梁部と前記支持板の上方部との間をコンスタントバネユニット機構により連結した請求項２に記載の工具類の支持板装置。
【請求項４】
　前記支持板に重量調整用のウエイトを付加可能に形成した請求項３に記載の工具類の支持板装置。
【請求項５】
　前記支持板は工具類を保持金具を介して支持可能な多孔板により形成された請求項１乃至請求項４のいずれか１に記載の工具類の支持板装置。
【考案の詳細な説明】
【技術分野】
【０００１】
　本考案は自動車の整備点検その他において使用される工具類の支持板装置に関する。
【背景技術】
【０００２】
　従来の工具類の支持板装置として、支持板を作業場の壁に取付ける構成のもの又は支持板をキャスター付きのテーブルの上面に立設した構成のもので、該支持板を、工具類をハンガーを介して支持可能な多孔板により形成したものが知られている。
【考案の開示】
【考案が解決しようとする課題】
【０００３】
　従来の工具類の支持板装置において、支持板を作業場の壁に取付ける構成のものは、取付場所が固定されているので実際に作業をしている場所が離れていると必要な工具類を取りに行くのが不便な問題点があり、又、支持板をキャスター付きのテーブルに立設した構成のものは、作業場所への移動は容易であるが、このテーブルが他の作業をしている人や整備点検車両の移動の邪魔となる問題点があった。
【０００４】
　本考案は、これらの問題点を解消し、必要な作業場所に移動できると共に昇降して点検車両の移動や他の作業への妨げとならない工具類の支持板装置を提供することを目的とする。
【課題を解決するための手段】
【０００５】
　本考案は上記の目的を達成すべく作業場内の上方部に架設したレールに支持枠を走行可能に吊下げ、該支持枠に工具類の支持板を昇降可能に係合支持した。
【考案の効果】
【０００６】
　作業場の上方部に架設したレールに支持枠を吊下げ、該支持枠に工具類の支持板を昇降可能に係合したことにより、作業場所に容易に移動でき、簡単に上方位置に移動させて点検車両の移動や他の作業の妨げとならない効果を有する。
【考案を実施するための最良の形態】
【０００７】
　本考案の実施例である工具類の支持板装置１は、自動車の整備点検などを行う作業場内の上方部に架設したレール４に走行可能に吊下した支持枠部２と、該支持枠部２に昇降可能に係合支持した工具類を支持する支持板部３とからなる。
【０００８】
　前記支持枠部２は梁部２ａとその両側端部に上端部で固定した左右の支柱部２ｂとからなり、該支柱部２ｂの上端に複数の支持片２ｃを突設して、これら支持片２ｃに前記レール４に係合するローラ２ｄを軸支した。
【０００９】
　前記支持板部３は、工具類をハンガーやＬ字形の保持金具を介して支持する多孔板からなる支持板３ａと、該支持板３ａの両側部に固定した側柱部３ｂとからなり、各側柱部３ｂを前記支持枠部２の各支柱部２ｂに図３に示す如く摺動ローラ３ｃを介してそれぞれ摺動係合し、図４に示す如く所定の上下位置で該支持板部３を係止するための係止部５の係止釦５ａを右側の支柱部２ｂの下端に設け、該係止釦５ａの先端軸５ｂが係止ばね５ｃの付勢により係合する係止孔３ｄを右側の前記側柱部３ｂの所定の上下位置に開孔した。尚、係止釦５ａに対向する左側の支柱部２ｂの２ｅはガイドピンを示し、前記摺動ローラ３ｃと共に該支持板部３の振れ止めと昇降ガイドの機能をなす。
【００１０】
　そして、前記支持枠部２の梁部２ａと前記支持板部３の上方部との間を該支持板部３の昇降動作を軽減化するためのコンスタントバネユニット機構６により連結した。
【００１１】
　尚、コンスタントバネは帯状のバネ材を一端部６ａを中心に密着した渦巻き状に形成しており、他端部６ｂに負荷を掛けると直線状に伸長し、負荷が軽減すると渦巻き状に縮退し、伸縮の始めと終りとでほぼ一定の負荷特性を有している。
【００１２】
　前記図１は支持板部３が下方位置にあり、コンスタントバネユニット機構６が最も伸長した状態にあり、図５及び図６は上方位置で最も縮退し、図１に示したバネボックス６ｃのカバーを一部取り外した状態を示し、該図６は側面側から見た図であり、該バネボックス６ｃ内にコンスタントバネを６巻組合せると共に図５及び前記図１の正面側において６巻組を左右に並設し、前記コンスタントバネユニット機構６は合計１２巻のコンスタントバネから形成されている。
【００１３】
　又、前記支持板３ａに支持する工具類の重量を調整するための調整ウエイト７を該支持板３ａの前面下部に保持金具などを介して着脱可能に設けて支持板部３の全重量を一定とし、前記コンスタントバネユニット機構６の機能を補完した。
【００１４】
　尚、前記支持枠部２の中間部に蛍光灯８が横設され、支柱部２ｂの側方に電気用リール９とエアホース用リール１０とが設けてある。
【００１５】
　尚又、前記支持板３ａの下端部に各種部品を入れるためのパーツケース１１を掛着しており、前記支持板部３の中間部に、物を載せるための棚１２とスライドテーブル１３と小物置き台１４と不用物用のダストボックス１５と塗装用のスプレー缶置き台１６とを設けており、更に該支持板部３の最下端には該支持板部３の移動と昇降用の把手１７を設けた。
【００１６】
　この様に工具類だけでなく整備点検作業の手順に必要な関連する部品や棚などを便利に集約した。
【００１７】
　次に本考案の実施例の使用方法を説明する。
【００１８】
　先ず、支持板装置１の下方の把手１７を持って待機場所から必要な作業場所まで移動させる。
【００１９】
　次に、支持枠部２の支柱部２ｂの下端にある係止釦５ａを引いて係止を外して支持板部３を降下し、所定の下方位置で係止孔３ｄに先端部５ｂが係止バネ５ｃの付勢で自動的に係合して該支持板部３を係止固定する。
【００２０】
　尚、支持板部３の所定の上下位置は該支持板部３の下端と床面との間の距離を例えば２メートルと０．４メートルに設定している。
【００２１】
　そして、車両の点検整備の作業、例えば、オイル交換、ライト交換、エンジン、足回りやブレーキの点検調整、外板の傷の補修などを行う。
【００２２】
　これらの作業に必要な工具、例えば、各種スパナ、ドライバやブラシなどを支持板３ａから取り外して、外したボルトなどを前記棚１２や小物置き台１４に置いたり、パーツケース１１から交換部品を取り出して交換したり、車両の表面をブラシで磨いた後スプレー缶置き台１６から取り出したスプレー缶で塗装などを行ったり、交換した不要部品などはダストボックス１５に入れる等の作業をする。
【００２３】
　この作業中などに他の点検車両が移動してきても、支持板部３を所定の上方位置に簡単に上昇させることができるので妨げとならない。
【００２４】
　作業が終了したら、支持板部３を所定の上方位置に係止してから当初の待機場所に移動させる。
【００２５】
　支持板部３が上方位置にあるので他の作業の妨げとならず、又、車両があっても支持板装置１を移動させることができる。
【産業上の利用可能性】
【００２６】
　本考案の活用例は主として自動車の整備点検作業であるが、必要な作業場所に容易に移動できると共に必要な工具類と作業に関連する部品や物置き台などが集約されていて大変便利であり、効率的な作業を行うことができる。
【図面の簡単な説明】
【００２７】
【図１】本考案の実施例の正面図である。
【図２】その側面図である。
【図３】支柱部と側柱部の係合状態の説明図である。
【図４】係止部の説明図である。
【図５】コンスタントバネユニット機構の正面図である。
【図６】その側面図である。
【符号の説明】
【００２８】
　１　工具類の支持板装置
　２　支持枠部
　３　支持板部
　４　レール
　５　係止部
　６　コンスタントバネユニット機構
　７　調整ウエイト
【図１】
0003100012.tif 000003
【図２】
0003100012.tif 000004
【図３】
0003100012.tif 000005
【図４】
0003100012.tif 000006
【図５】
0003100012.tif 000007
【図６】
0003100012.tif 000008